(57)【要約】【課題】複数の出力先を対象としてデータをリアルタイムに出力することができるファクシミリ装置を提供する。【解決手段】ＪＰＥＧ変換手段１３は、ＭＨ，ＭＲおよびＭＭＲなどのファクシミリ通信用の符号化方式で符号化された文書データをプリンタ３０との通信規格であるPictBridgeに対応したＪＰＥＧ形式の印刷文書データに変換し、印刷文書記憶手段１４に記憶させる。出力先監視手段１５は、印刷制御手段１７、カード出力手段１８およびサーバ出力手段１９が、それぞれ出力先と接続されているか否かを監視し、それぞれの出力先から印刷文書データを出力可能か否かを示す出力可否フラグを管理する。出力先切換手段１６は、出力可否フラグを参照して、印刷文書データを出力することが出来る状態の出力先に順番に出力する。【選択図】図１
2007288239.tif 000002
【特許請求の範囲】
【請求項１】
画像データを通信可能なファクシミリ装置であって、
プリンタ装置を含む複数の出力装置とのインタフェースと、
他のファクシミリ装置との通信規格に対応した第１の符号化方式による画像データを入力した場合に、第１の符号化方式による画像データをプリンタ装置との通信規格に対応した第２の符号化方式による印刷画像データに変換するデータ変換手段と、
前記複数の出力装置のうち印刷画像データを出力可能な出力装置を検出する検出手段と、
前記データ変換手段が変換によって作成した印刷画像データを、前記検出手段が検出した出力装置に出力する出力手段と
を備えたことを特徴とするファクシミリ装置。
【請求項２】
第２の符号化方式による印刷画像データを記憶する記憶手段を備え、
出力手段は、前記記憶手段に記憶された印刷画像データを出力装置に出力し、前記出力装置に出力した印刷画像データを前記記憶手段から削除する
請求項１記載のファクシミリ装置。
【請求項３】
外部記憶手段に記憶された画像データが入力された場合に、入力された画像データが第１の符号化方式による画像データであるか否かを判定し、第１の符号化方式による画像データであると判定した場合に、データ変換手段に画像データを出力するファイル形式判定手段を備えた
請求項１または請求項２記載のファクシミリ装置。
【請求項４】
コンピュータとのインタフェースと、
前記コンピュータによって出力された印刷画像データを出力手段に出力する端末印刷制御手段とを備え、
出力手段は、前記端末印刷制御手段によって出力された印刷画像データをプリンタ装置に出力する
請求項１から請求項３のうちのいずれか１項に記載のファクシミリ装置。
【請求項５】
プリンタ装置との通信規格はＰｉｃｔＢｒｉｄｇｅであって、第２の符号化方式による印刷画像データはＪＰＥＧデータである
請求項１から請求項４のうちのいずれか１項に記載のファクシミリ装置。
【請求項６】
プリンタ装置を含む複数の出力装置に画像データを出力する画像データ出力方法であって、
他のファクシミリ装置との通信規格に対応した第１の符号化方式による画像データを入力した場合に、第１の符号化方式による画像データをプリンタ装置との通信規格に対応した第２の符号化方式による印刷画像データに変換し、
前記複数の出力装置のうち印刷画像データを出力可能な出力装置を検出し、
変換によって作成した印刷画像データを、検出した出力装置に出力する
ことを特徴とする画像データ出力方法。
【発明の詳細な説明】
【技術分野】
【０００１】
本発明は、外部出力装置に画像データを出力するファクシミリ装置および画像データ出力方法に関する。
【背景技術】
【０００２】
一般に、ファクシミリ装置は、受信したファクシミリ文書を印刷するための専用のプリンタ装置を内蔵している。パーソナルコンピュータに接続されて使用されるプリンタ装置を所有している場合には、実質的に２台のプリンタ装置を所有することになる。そのような無駄を省くため、一般的なプリンタ装置を接続して画像データを出力することができるファクシミリ装置が検討されている。
【０００３】
高速にかつ高品質の画像を外部プリンタ装置を利用して記録できるファクシミリシステムが提案されている（例えば、特許文献１参照。）。特許文献１には、ファクシミリ本体が、画像の記録時にプリンタ制御コードと所定のキャラクタデータとをプリンタ装置に出力するとともに、画像データをプリンタ装置で処理可能なイメージデータに変換してプリンタ装置に出力することが記載されている。このような構成により、プリンタ装置がインク噴射方式であって黒字率に基づいてインク噴射のパルス幅を制御する場合にも、イメージデータに基づいて適切に黒字率を判別することができ、画像品質を向上させることができる。
【０００４】
また、電話回線に接続し、発呼端末であるファクシミリ装置等からのデータをＩＣメモリカードに書き込むことができるＩＣメモリカード用データ処理装置が提案されている（例えば、特許文献２参照。）。特許文献２には、ＩＣメモリカード用データ処理装置が、電話回線を介して入力されるファクシミリ装置等からのデータをメモリに記憶し、信号変換部にて所定形式のデータに変換処理してＩＣメモリカードの所定領域に書き込み保存することが記載されている。このような構成により、ファクシミリ装置から送信された画像データをＩＣメモリカードに記憶し、ＩＣメモリカード対応のパーソナルコンピュータで利用することができる。
【０００５】
ＬＡＮ(Local Area Network)に接続されたファクシミリ装置において、受信した画像データをＬＡＮ上の宛先端末に自動的に配送し、もしくは、ＬＡＮ上の宛先端末に受信通知を行う画像通信装置が提案されている（例えば、特許文献３参照。）。特許文献３には、ＬＡＮに接続されたファクシミリ装置が、受信した画像データを解析し、宛先端末のアドレスデータを抽出して画像データを自動的に配送することが記載されている。このような構成により、画像通信装置からＬＡＮ上への画像データの転送を自動的に制御することができる。
【０００６】
【特許文献１】特開平９−１８１８６３号公報（段落００６３−００６４）
【特許文献２】特開平６−３７９１８号公報（段落０００６−０００７）
【特許文献３】特開平９−１８６８１６号公報（段落００６５−００８０）
【発明の開示】
【発明が解決しようとする課題】
【０００７】
しかし、特許文献１〜３に記載された方式では、それぞれ出力先が１種類しかないことから、１つの出力先において突発的な故障等が発生した場合には、受信したデータを出力することができなくなってしまう。このため、受信データをリアルタイムに取得することができない可能性があるという問題がある。
【０００８】
そこで、本発明は、複数の出力先を対象としてデータをリアルタイムに出力することができるファクシミリ装置および画像データ出力方法を提供することを目的とする。
【課題を解決するための手段】
【０００９】
本発明によるファクシミリ装置は、画像データを通信可能なファクシミリ装置であって、プリンタ装置を含む複数の出力装置とのインタフェースと、他のファクシミリ装置との通信規格に対応した第１の符号化方式による画像データ（文書データ）を入力した場合に、第１の符号化方式による画像データをプリンタ装置との通信規格に対応した第２の符号化方式による印刷画像データ（印刷文書データ）に変換するデータ変換手段と、複数の出力装置のうち印刷画像データを出力可能な出力装置を検出する検出手段と、データ変換手段が変換によって作成した印刷画像データを、検出手段が検出した出力装置に出力する出力手段とを備えたことを特徴とする。
【００１０】
第２の符号化方式による印刷画像データを記憶する記憶手段を備え、出力手段は、記憶手段に記憶された印刷画像データを出力装置に出力し、出力装置に出力した印刷画像データを記憶手段から削除してもよい。そのような構成によれば、記憶手段を有効に使用することができる。
【００１１】
外部記憶手段に記憶された画像データが入力された場合に、入力された画像データが第１の符号化方式による画像データであるか否かを判定し、第１の符号化方式による画像データであると判定した場合に、データ変換手段に画像データを出力するファイル形式判定手段を備えていてもよい。そのような構成によれば、メモリカードなどの外部記憶装置に記憶されたデータのファイル形式に応じて自動的に出力装置に出力することができる。
【００１２】
コンピュータとのインタフェースと、コンピュータによって出力された印刷画像データを出力手段に出力する端末印刷制御手段とを備え、出力手段は、端末印刷制御手段によって出力された印刷画像データをプリンタ装置に出力するように構成されていてもよい。そのような構成によれば、コンピュータから受信した印刷データをプリンタに出力することができる。
【００１３】
プリンタ装置との通信規格はＰｉｃｔＢｒｉｄｇｅであって、第２の符号化方式による印刷画像データはＪＰＥＧデータであることが好ましい。そのような構成によれば、装置の機種等に依存するプリンタドライバをインストールすることなく、ファクシミリ装置の画像をプリンタから直接出力することができる。
【００１４】
本発明による画像データ出力方法は、プリンタ装置を含む複数の出力装置に画像データを出力する画像データ出力方法であって、他のファクシミリ装置との通信規格に対応した第１の符号化方式による画像データを入力した場合に、第１の符号化方式による画像データをプリンタ装置との通信規格に対応した第２の符号化方式による印刷画像データに変換し、複数の出力装置のうち印刷画像データを出力可能な出力装置を検出し、変換によって作成した印刷画像データを、検出した出力装置に出力することを特徴とする。
【発明の効果】
【００１５】
本発明によれば、ファクシミリ装置がプリンタ機能を内蔵することなく、外部接続されたプリンタを用いて印刷を行うことができるという効果がある。また、ファクシミリ装置が、複数の出力先に、１つの印刷文書データをリアルタイムに出力することができるという効果がある。
【発明を実施するための最良の形態】
【００１６】
実施の形態１．
以下、本発明の第１の実施の形態を図面を参照して説明する。図１は、本発明によるファクシミリ装置の第１の実施の形態を示すブロック図である。図１に示すファクシミリ装置１０１は、ファクシミリ通信手段１１と、文書一時記憶手段１２と、ＪＰＥＧ変換手段１３と、印刷文書記憶手段１４と、出力先監視手段１５と、出力先切換手段１６と、印刷制御手段１７と、カード出力手段１８と、サーバ出力手段１９と、スキャナ手段２０とを備える。
【００１７】
また、ＵＳＢケーブルを介して、印刷制御手段１７とプリンタ３０とが接続されるとともに、ＬＡＮケーブルを介して、サーバ出力手段１９とファイルサーバ４０とが接続される。
【００１８】
ファクシミリ装置１０１とプリンタ３０とは、例えば、通信規格「ＣＩＰＡ規格ＤＣ−００１(PictBridge：ピクトブリッジ)」に対応している。ピクトブリッジは、画像入力装置と画像出力装置とを直接ＵＳＢケーブルで接続でき、アプリケーションレベルでの各種サービスが提供される規格である。例えば、ピクトブリッジによれば、装置の機種等に依存するプリンタドライバをインストールすることなく、ファクシミリ装置の画像をプリンタから直接出力することができる。なお、ピクトブリッジ対応のプリンタ３０は、一般に、ＪＰＥＧ形式のデータを入力して画像を再現することができる。
【００１９】
ファクシミリ通信手段１１は、通信回線（図示せず。）を介して送信された画像データを受信し、ファクシミリ受信文書として文書一時記憶手段１２に記憶させる。また、スキャナ手段２０は、絵や文字などの原稿を光学的に走査（スキャン）し、画像データに変換して、コピー文書として文書一時記憶手段１２に記憶させる。文書一時記憶手段１２に記憶されるファクシミリ受信文書およびコピー文書（以下、文書データと表記する。）は、例えば、ＭＨ(Modified Huffman)，ＭＲ(Modified READ )およびＭＭＲ(Modified Modified READ)などのファクシミリ通信用の符号化方式で符号化されたデータである。
【００２０】
ＪＰＥＧ変換手段１３は、文書一時記憶手段１２に記憶された文書データを読み出して、プリンタ３０との通信規格に対応したＪＰＥＧ形式の画像データ（以下、印刷文書データと表記する。）に変換し、印刷文書記憶手段１４に記憶させる。ファクシミリ装置１０１およびプリンタ３０が、ピクトブリッジに対応している場合、印刷文書記憶手段１４に記憶される印刷文書データは、ＪＰＥＧ形式のデータであることが好ましい。
【００２１】
出力先監視手段１５は、印刷制御手段１７、カード出力手段１８およびサーバ出力手段１９が、それぞれ出力先と接続されているか否かを監視し、それぞれの出力先から印刷文書データを出力可能か否かを示す出力可否状態を管理する。出力先監視手段１５は、例えば、印刷制御手段１７、カード出力手段１８およびサーバ出力手段１９のそれぞれについて、出力可否状態を示す出力可否フラグを設定管理する。例えば、印刷文書データを出力可能である場合には出力可否フラグを１に設定し、出力不可能である場合には出力可否フラグを０に設定する。なお、以下の説明では、出力先監視手段１５が出力可否フラグを設定することにより出力可否状態を管理する場合を例示するが、フラグに限定されない。
【００２２】
印刷制御手段１７は、外部のプリンタ３０との接続状態を制御する。印刷制御手段１７は、プリンタ３０がＵＳＢケーブルを介して接続されている場合に、印刷文書データの出力を可能と認識し、接続されていない場合には出力不可能と認識する。すなわち、印刷制御手段１７は、プリンタ３０が接続されている場合には、プリンタ３０に対して印刷文書データを出力可能であることを出力先監視手段１５に通知し、出力先監視手段１５は、印刷制御手段１７に対応する出力可否フラグを１と設定する。
【００２３】
カード出力手段１８は、メモリカードの接続状態を制御する。カード出力手段１８は、ファクシミリ装置１０１のメモリカードスロット（図示せず。）にＳＤカードやコンパクトフラッシュ（登録商標）などのメモリカードが挿入されている場合に、印刷文書データの出力を可能と認識し、挿入されていない場合には出力不可能と認識する。すなわち、カード出力手段１８は、メモリカードが挿入されている場合には、メモリカードに対して印刷文書データを出力可能であることを出力先監視手段１５に通知し、出力先監視手段１５は、カード出力手段１８に対応する出力可否フラグを１と設定する。
【００２４】
サーバ出力手段１９は、ファイルサーバ４０の接続状態を制御する。サーバ出力手段１９は、ファクシミリ装置１０１にＬＡＮケーブルが接続され、ネットワークを介してファイルサーバ４０と接続されている場合に、印刷文書データの出力を可能と認識し、接続されていない場合には出力不可能と認識する。すなわち、サーバ出力手段１９は、ファイルサーバ４０が接続されている場合には、ファイルサーバ４０に対して印刷文書データを出力可能であることを出力先監視手段１５に通知し、出力先監視手段１５は、サーバ出力手段１９に対応する出力可否フラグを１と設定する。
【００２５】
出力先切換手段１６は、出力先監視手段１５が管理する接続状態（出力可否フラグ）を参照して、印刷文書データを出力することが出来る状態の出力先に順番に出力する。
【００２６】
プリンタ３０がＵＳＢケーブルを介して接続されている場合、すなわち印刷制御手段１７に対応する出力可否フラグが１である場合、出力先切換手段１６は、印刷文書記憶手段１４に記憶されている印刷文書データを読み出して、印刷制御手段１７に出力する。印刷制御手段１７は、出力先切換手段１６から出力された印刷文書データをプリンタ３０に出力する。
【００２７】
メモリカードが挿入されている場合、すなわちカード出力手段１８に対応する出力可否フラグが１である場合、出力先切換手段１６は、印刷文書記憶手段１４に記憶されている印刷文書データを読み出して、カード出力手段１８に出力する。カード出力手段１８は、出力先切換手段１６から出力された印刷文書データを、メモリカードに出力する。
【００２８】
ファイルサーバ４０と接続されている場合、すなわちサーバ出力手段１９に対応する出力可否フラグが１である場合、出力先切換手段１６は、印刷文書記憶手段１４に記憶されている印刷文書データを読み出して、サーバ出力手段１９に出力する。サーバ出力手段１９は、出力先切換手段１６から出力された印刷文書データを、ファイルサーバ４０に送信する。
【００２９】
プリンタ３０、メモリカードおよびファイルサーバ４０のいずれか１つに印刷文書データを出力できた場合、出力先切換手段１６は、印刷文書記憶手段１４に記憶されている出力済みの印刷文書データを削除する。
【００３０】
第１の実施の形態において、インタフェースは、印刷制御手段１７、カード出力手段１８およびサーバ出力手段１９によって実現される。データ変換手段は、ＪＰＥＧ変換手段１３によって実現される。印刷画像データを出力可能な出力装置を検出する検出手段は、出力先監視手段１５によって実現される。出力手段は、出力先切換手段１６によって実現される。
【００３１】
ＪＰＥＧ変換手段１３、出力先監視手段１５および出力先切換手段１６は、ファクシミリ装置１０１に搭載されるＣＰＵが、それらの機能を実現するためのプログラムを実行することによって実現される。
【００３２】
次に、図２を参照して第１の実施の形態の動作について説明する。図２は、第１の実施の形態における出力先監視手段１５の動作を示すフローチャートである。出力先監視手段１５は、定期的に処理を実行してもよい。また、例えば、ファクシミリ受信時等に出力先切換手段１６からの要求等に応じて処理を実行してもよい。
【００３３】
出力先監視手段１５は、印刷制御手段１７とプリンタ３０との接続状態を判定する（ステップＳ２１）。ステップＳ２１において、出力先監視手段１５は、印刷制御手段１７に対し、プリンタ３０に出力可能であるか否かを問い合わせる。印刷制御手段１７は、プリンタ３０が接続されている場合には出力可能と認識し（Ｙｅｓ）、ステップＳ２２に移行する。プリンタ３０が接続されていない場合には出力不可能と認識し（Ｎｏ）、ステップＳ２３に移行する。
【００３４】
ステップＳ２２において、印刷制御手段１７は、プリンタ３０に出力可能であることを出力先監視手段１５に通知する。出力先監視手段１５は、印刷制御手段１７に対応する出力可否フラグを１と設定する。
【００３５】
出力先監視手段１５は、カード出力手段１８とメモリカードとの接続状態を判定する（ステップＳ２３）。ステップＳ２３において、出力先監視手段１５は、カード出力手段１８に対し、メモリカードに出力可能であるか否かを問い合わせる。カード出力手段１８は、メモリカードが接続されている場合には出力可能と認識し（Ｙｅｓ）、ステップＳ２４に移行する。メモリカードが接続されていない場合には出力不可能と認識し（Ｎｏ）、ステップＳ２５に移行する。
【００３６】
ステップＳ２４において、カード出力手段１８は、メモリカードに出力可能であることを出力先監視手段１５に通知する。出力先監視手段１５は、カード出力手段１８に対応する出力可否フラグを１と設定する。
【００３７】
出力先監視手段１５は、サーバ出力手段１９とファイルサーバ４０との接続状態を判定する（ステップＳ２５）。ステップＳ２５において、出力先監視手段１５は、サーバ出力手段１９に対し、ファイルサーバ４０に出力可能であるか否かを問い合わせる。サーバ出力手段１９は、ファイルサーバ４０が接続されている場合には出力可能と認識し（Ｙｅｓ）、ステップＳ２６に移行する。ファイルサーバ４０が接続されていない場合には出力不可能と認識し（Ｎｏ）、一連の処理を終了する。
【００３８】
ステップＳ２６において、サーバ出力手段１９は、ファイルサーバ４０に出力可能であることを出力先監視手段１５に通知する。出力先監視手段１５は、サーバ出力手段１９に対応する出力可否フラグを１と設定し、一連の処理を終了する。
【００３９】
図３は、第１の実施の形態における出力先切換手段１６の動作を示すフローチャートである。出力先切換手段１６は、例えば、印刷文書記憶手段１４に印刷文書データが記憶された際に、処理を実行する。
【００４０】
出力先切換手段１６は、出力先監視手段１５が管理する出力可否フラグのうち、印刷制御手段１７に対応する出力可否フラグを参照し、プリンタ３０に出力可能であるか否かを判断する（ステップＳ３１）。ステップＳ３１において、印刷制御手段１７に対応する出力可否フラグが１である場合、すなわちプリンタ３０に出力可能である場合には（Ｙｅｓ）、出力先切換手段１６は、印刷文書記憶手段１４に記憶されている印刷文書データを読み出して印刷制御手段１７に出力し、印刷制御手段１７は、出力先切換手段１６から出力された印刷文書データをプリンタ３０に出力する（ステップＳ３２）。ステップＳ３１において、印刷制御手段１７に対応する出力可否フラグが０である場合、すなわちプリンタ３０に出力不可能である場合には（Ｎｏ）、処理を行わずにステップＳ３３に移行する。
【００４１】
出力先切換手段１６は、出力先監視手段１５が管理する出力可否フラグのうち、カード出力手段１８に対応する出力可否フラグを参照し、メモリカードに出力可能であるか否かを判断する（ステップＳ３３）。ステップＳ３３において、カード出力手段１８に対応する出力可否フラグが１である場合、すなわちメモリカードに出力可能である場合には（Ｙｅｓ）、出力先切換手段１６は、印刷文書記憶手段１４に記憶されている印刷文書データを読み出してカード出力手段１８に出力し、カード出力手段１８は、出力先切換手段１６から出力された印刷文書データをメモリカードに出力する（ステップＳ３４）。ステップＳ３３において、カード出力手段１８に対応する出力可否フラグが０である場合、すなわちメモリカードに出力不可能である場合には（Ｎｏ）、処理を行わずにステップＳ３５に移行する。
【００４２】
出力先切換手段１６は、出力先監視手段１５が管理する出力可否フラグのうち、サーバ出力手段１９に対応する出力可否フラグを参照し、ファイルサーバ４０に出力可能であるか否かを判断する（ステップＳ３５）。ステップＳ３５において、サーバ出力手段１９に対応する出力可否フラグが１である場合、すなわちファイルサーバ４０に出力可能である場合には（Ｙｅｓ）、出力先切換手段１６は、印刷文書記憶手段１４に記憶されている印刷文書データを読み出してサーバ出力手段１９に出力し、サーバ出力手段１９は、出力先切換手段１６から出力された印刷文書データをファイルサーバ４０に出力する（ステップＳ３６）。ステップＳ３５において、サーバ出力手段１９に対応する出力可否フラグが０である場合、すなわちファイルサーバ４０に出力不可能である場合には（Ｎｏ）、処理を行わずにステップＳ３７に移行する。
【００４３】
ステップＳ３７において、出力先切換手段１６は、プリンタ３０、メモリカードおよびファイルサーバ４０のいずれか１つに印刷文書データを出力できたか否かを判断する。いずれか１つに印刷文書データを出力できた場合には（Ｙｅｓ）、出力先切換手段１６は、印刷文書記憶手段１４に記憶されている出力済みの印刷文書データを削除して（ステップＳ３８）、一連の処理を終了する。
【００４４】
いずれにも印刷文書データを出力できなかった場合には（Ｎｏ）、処理を行わずに一連の処理を終了する。なお、印刷文書記憶手段１４に記憶され、削除されずに残された印刷文書データは、例えば、プリンタ３０、メモリカードおよびファイルサーバ４０のいずれかが出力可能となったときに自動的に出力されてもよい。
【００４５】
プリンタ３０、メモリカードおよびファイルサーバ４０のすべてが正常に接続されている場合には、１つの印刷文書データを、プリンタ３０、メモリカードおよびファイルサーバ４０の３箇所に出力することができる。また、印刷文書データは、電子データとしてメモリカードおよびファイルサーバ４０の２箇所に保存することができる。
【００４６】
また、ファクシミリ装置とプリンタとが離れて設置されているような使用環境の場合には、ファクシミリ装置で印刷文書データをメモリカードに保存し、メモリカード対応プリンタで印刷することができる。
【００４７】
以上に説明したように、第１の実施の形態によれば、ファクシミリ装置がプリンタ機能を内蔵せず、外部接続されたプリンタを用いることができることから、ファクシミリ装置を小型化することができ、プリンタ機能分のコストを下げることができるという効果がある。
【００４８】
また、ファクシミリ符号で受信した文書データを、外部プリンタがそのまま印刷することができる形式の印刷文書データに変換することから、ファクシミリ装置に外部プリンタを接続しておくことにより、ユーザが印刷操作することなく、内蔵プリンタと同様にリアルタイムに外部プリンタから印刷文書を出力することができる。
【００４９】
さらに、ファクシミリ装置が、プリンタ、メモリカードおよびファイルサーバなどの複数の出力先に、１つの印刷文書データをリアルタイムに出力することができる。そのため、１つの出力先において突発的な故障等が発生した場合であっても、受信データをリアルタイムに取得することができる。
【００５０】
実施の形態２．
以下、本発明の第２の実施の形態を図面を参照して説明する。図４は、本発明によるファクシミリ装置の第２の実施の形態を示すブロック図である。図４に示すファクシミリ装置１０２は、ファクシミリ通信手段１１と、文書一時記憶手段１２と、ＪＰＥＧ変換手段１３と、印刷文書記憶手段１４と、出力先監視手段１５と、出力先切換手段１６と、印刷制御手段１７と、サーバ出力手段１９と、スキャナ手段２０と、カード読出手段２５と、ファイル形式判定手段２６とを備える。
【００５１】
また、ＵＳＢケーブルを介して、印刷制御手段１７とプリンタ３０とが接続され、ＬＡＮケーブルを介して、サーバ出力手段１９とファイルサーバ４０とが接続されるとともに、メモリカードスロットにメモリカードが挿入され、カード読出手段２５とメモリカードとが接続される。なお、第１の実施の形態におけるファクシミリ装置１０１と同様の構成部については、図１と同一の符号を付し、説明を省略する。
【００５２】
カード読出手段２５は、メモリカードスロットにメモリカードが挿入された時に、メモリカードに記憶されているファイルを読み出す。
【００５３】
ファイル形式判定手段２６は、カード読出手段２５が読み出したファイルの拡張子から、ファイル形式を判定する。ファイル形式判定手段２６は、読み出したファイルがＪＰＥＧ形式のファイルである場合は、ファイルを印刷文書記憶手段１４に記憶する。
【００５４】
また、読み出したファイルがＴＩＦＦ形式やＰＤＦ形式のファイルである場合、ファイル形式判定手段２６は、さらにファイルのデータを解析する。データが、ＭＨ，ＭＲおよびＭＭＲなどのファクシミリ通信用の符号化方式で符号化されたデータである場合、ＪＰＥＧ変換手段１３は、ファイルをＪＰＥＧ形式のファイルに変換し、印刷文書記憶手段１４に記憶する。
【００５５】
出力先切換手段１６は、印刷文書記憶手段１４に記憶されている印刷文書データを読み出して、出力可能状態の出力先に順番に出力する。
【００５６】
次に、図５を参照してファイル形式判定手段２６の動作について説明する。図５は、第２の実施の形態におけるファイル形式判定手段２６の動作を示すフローチャートである。
【００５７】
ファイル形式判定手段２６は、カード読出手段２５によって読み出されたファイルの拡張子から、ファイル形式を判定する（ステップＳ５１）。ステップＳ５１において、ファイル形式がＴＩＦＦ形式またはＰＤＦ形式のファイルである場合（Ｙｅｓ）、ステップＳ５２に移行する。
【００５８】
ステップＳ５２において、ファイル形式判定手段２６は、ファイルの内部データが、ＭＨ，ＭＲおよびＭＭＲなどのファクシミリ通信用の符号化方式で符号化されたデータであるか否かを判定する。ステップＳ５２において、ファイル形式がＭＨ，ＭＲおよびＭＭＲのいずれかである場合（Ｙｅｓ）、ファイル形式判定手段２６は、ファイルをＪＰＥＧ変換手段１３に出力する（ステップＳ５３）。ＪＰＥＧ変換手段１３は、ファイルをＪＰＥＧ形式のファイルに変換し、印刷文書記憶手段１４に記憶する。ステップＳ５２において、ファイル形式がＭＨ，ＭＲおよびＭＭＲのいずれかでない場合には（Ｎｏ）、ステップＳ５６に移行し、印刷不可能であるとして一連の処理を終了する。
【００５９】
ステップＳ５１において、ファイル形式がＴＩＦＦ形式またはＰＤＦ形式のファイルではない場合（Ｎｏ）、ステップＳ５４に移行する。ステップＳ５４において、ファイル形式判定手段２６は、ファイル形式がＪＰＥＧ形式のファイルであるか否かを判定する。ＪＰＥＧ形式のファイルである場合（Ｙｅｓ）、ステップＳ５５に移行し、ファイル形式を変換せずにファイルを印刷文書記憶手段１４に記憶する。ＪＰＥＧ形式のファイルでない場合には（Ｎｏ）、ステップＳ５７に移行し、印刷不可能であるとして一連の処理を終了する。
【００６０】
上記の第２の実施の形態によれば、第１の実施の形態による効果に加えて、メモリカードがカードスロットに挿入された時に、カードに記憶されているファイルを読み出し、ファイル形式に応じて自動的にプリンタに出力することができるという効果がある。
【００６１】
実施の形態３．
以下、本発明の第３の実施の形態を図面を参照して説明する。図６は、本発明によるファクシミリ装置の第３の実施の形態を示すブロック図である。図６に示すファクシミリ装置１０３は、ファクシミリ通信手段１１と、文書一時記憶手段１２と、ＪＰＥＧ変換手段１３と、印刷文書記憶手段１４と、出力先監視手段１５と、出力先切換手段１６と、印刷制御手段１７と、カード出力手段１８と、サーバ出力手段１９と、スキャナ手段２０と、ＰＣ印刷制御手段５１とを備える。
【００６２】
また、ＵＳＢケーブルを介して、印刷制御手段１７とプリンタ３０とが接続され、ＬＡＮケーブルを介して、サーバ出力手段１９とファイルサーバ４０とが接続されるとともに、ＵＳＢケーブルを介して、ＰＣ印刷制御手段５１とパーソナルコンピュータ５０とが接続される。なお、第１の実施の形態におけるファクシミリ装置１０１と同様の構成部については、図１と同一の符号を付し、説明を省略する。
【００６３】
パーソナルコンピュータ５０において印刷操作がされると、ＰＣ印刷制御手段５１は、パーソナルコンピュータ５０から印刷データを受信する。ＰＣ印刷制御手段５１は、受信した印刷データを印刷制御手段１７に出力する。印刷制御手段１７は、ＰＣ印刷制御手段５１から出力された印刷データをプリンタ３０に出力する。
【００６４】
ＰＣ印刷制御手段５１がパーソナルコンピュータ５０から印刷データを受信したときに、出力先切換手段１６が印刷文書記憶手段１４に記憶された印刷文書データをプリンタ３０に出力している場合には、ＰＣ印刷制御手段５１は、出力先切換手段１６が出力した印刷文書データの出力が完了した後に、パーソナルコンピュータ５０から受信した印刷データをプリンタ３０に出力する。
【００６５】
また、出力先切換手段１６は、ＰＣ印刷制御手段５１がパーソナルコンピュータ５０から受信した印刷データをプリンタ３０に出力している場合には、印刷文書記憶手段１４に記憶された印刷文書データの印刷処理を開始せずに、ＰＣ印刷制御手段５１が受信した印刷データの出力が完了した後に印刷処理を開始する。
【００６６】
上記の第３の実施の形態によれば、第１の実施の形態による効果に加えて、パーソナルコンピュータから印刷データを受信して、プリンタに出力できるという効果がある。
【産業上の利用可能性】
【００６７】
本発明は、外部出力装置に画像データを出力するファクシミリ装置に効果的に適用できる。
【図面の簡単な説明】
【００６８】
【図１】本発明によるファクシミリ装置の第１の実施の形態を示すブロック図である。
【図２】第１の実施の形態における出力先監視手段の動作を示すフローチャートである。
【図３】第１の実施の形態における出力先切換手段の動作を示すフローチャートである。
【図４】本発明によるファクシミリ装置の第２の実施の形態を示すブロック図である。
【図５】第２の実施の形態におけるファイル形式判定手段の動作を示すフローチャートである。
【図６】本発明によるファクシミリ装置の第３の実施の形態を示すブロック図である。
【符号の説明】
【００６９】
１０１  ファクシミリ装置
１１    ファクシミリ通信手段
１２    文書一時記憶手段
１３    ＪＰＥＧ変換手段
１４    印刷文書記憶手段
１５    出力先監視手段
１６    出力先切換手段
１７    印刷制御手段
１８    カード出力手段
１９    サーバ出力手段
２０    スキャナ手段
３０    プリンタ
４０    ファイルサーバ
【図１】
2007288239.tif 000003
【図２】
2007288239.tif 000004
【図３】
2007288239.tif 000005
【図４】
2007288239.tif 000006
【図５】
2007288239.tif 000007
【図６】
2007288239.tif 000008